(57)【要約】ヒール高さ調節可能な靴１０は、前ブラケット１１０、後ブラケット１２０、伸縮型リンケージ２１０、伸縮型支持部材２２０、連動部材３００及びロック機構６００を含む。後ブラケット１２０は、前ブラケット１１０に対して回動可能に接続される。伸縮型リンケージ２１０は、後ブラケット１２０の連動によって伸縮することに用いられ、後ブラケット１２０に枢着される。伸縮型支持部材２２０は、伸縮型リンケージ２１０に固接され、伸縮型リンケージ２１０の伸縮によって、同期して同じ方向と同じ比例の伸縮を行うことに用いられる。連動部材３００は、後ブラケット１２０と間隔を保ち、且つそれぞれ前ブラケット１１０と伸縮型支持部材２２０に枢着される。ロック機構６００は、伸縮型支持部材２２０の伸縮を制限するように、取り外し可能に伸縮型支持部材２２０を係合することに用いられる。
2019503811.tif 000002
【特許請求の範囲】
【請求項１】
前ブラケットと、
前記前ブラケットに対して回動可能に接続される後ブラケットと、
前記後ブラケットの連動によって伸縮することに用いられ、前記後ブラケットに枢着される伸縮型リンケージと、
前記伸縮型リンケージの伸縮によって、同期して同じ方向と同じ比例の伸縮を行うことに用いられ、前記伸縮型リンケージに固接される伸縮型支持部材と、
前記後ブラケットと間隔を保ち、それぞれ前記前ブラケットと前記伸縮型支持部材に枢着される連動部材と、
前記伸縮型支持部材の伸縮を制限するように、取り外し可能に前記伸縮型支持部材を係合するためのロック機構と、
を含むことを特徴とするヒール高さ調節可能な靴。
【請求項２】
前記伸縮型リンケージは、
複数の第１の軸ピンと複数の第２の軸ピンと、
互いに平行である複数の第１の連接棒と、
互いに平行である複数の第２の連接棒と、
を含み、
隣接する前記複数の第１の連接棒のうちの１つと前記複数の第２の連接棒のうちの１つが前記複数の第１の軸ピンのうちの１つによって互いに交差して枢着され、且つ前記複数の第１の連接棒と前記複数の第２の連接棒がそれぞれ前記複数の第２の軸ピンによって首尾が枢着されるように互いに接続され、
前記複数の第１の連接棒と前記複数の第２の連接棒を枢動して前記複数の第１の軸ピンの間の間隔を次第に変える場合、前記伸縮型リンケージが対応的にその長さを変えることを特徴とする請求項１に記載のヒール高さ調節可能な靴。
【請求項３】
前記複数の第１の連接棒のうちの１つは、同時に前記複数の第１の軸ピンのうちの１つと前記複数の第２の軸ピンの少なくとも１つによって前記後ブラケットに枢着され、
前記伸縮型リンケージが対応的にその長さを変えるように前記後ブラケットが連動する場合、前記伸縮型リンケージは、横方向の変位を発生させることを特徴とする請求項２に記載のヒール高さ調節可能な靴。
【請求項４】
前記伸縮型支持部材は、互いに同心円状に配置され、且つ伸縮可能に順に嵌設される複数のスリーブを含み、
前記複数の第１の軸ピンの少なくとも２つが前記伸縮型支持部材の長軸方向に沿って順に前記複数のスリーブの少なくとも２つに固接されることを特徴とする請求項３に記載のヒール高さ調節可能な靴。
【請求項５】
前記複数のスリーブの最も内側のものは貫通空間を有し、且つ前記伸縮型リンケージは前記貫通空間内に位置することを特徴とする請求項４に記載のヒール高さ調節可能な靴。
【請求項６】
前記複数のスリーブの最も外側のものは、円弧状に整列し、それぞれ前記伸縮型支持部材の多種の長さに対応する複数の固定孔を有し、
前記ロック機構は、前記複数の固定孔のうちの１つに挿抜可能に挿入されて、前記複数のスリーブを位置制限し、前記伸縮型支持部材の前記多種の長さのうちの１つを決めるための固定ピンを含むことを特徴とする請求項４に記載のヒール高さ調節可能な靴。
【請求項７】
前記ロック機構は、
第１の端、第２の端及び枢着部を有し、前記枢着部が前記第１の端と前記第２の端との間にあり、前記固定ピンが前記ブラケット本体の前記第１の端に位置するブラケット本体と、
前記固定ピンを前記固定孔に押し戻すことに用いられ、前記ブラケット本体の前記第１の端に接続されるバネと、
一端が前記ブラケット本体の前記第２の端に当接し、他端が前記靴の外へ露出する操作部と、
を更に含み、
前記操作部が前記ブラケット本体を回動させる場合、前記複数のスリーブに対する位置制限を解除するように、前記固定ピンは前記ブラケット本体の回動に伴い前記固定孔から出ることを特徴とする請求項６に記載のヒール高さ調節可能な靴。
【請求項８】
前記前ブラケットの一端に突出リブを有し、前記後ブラケットは、少なくとも１つの第１のピボットによって前記前ブラケットの前記端に枢着され、及び少なくとも２つの第２のピボットによって前記伸縮型リンケージに枢着され、前記連動部材は、少なくとも１つの第３のピボットによって前記突出リブに枢着され、及び少なくとも１つの第４のピボットによって前記伸縮型支持部材に枢着され、
前記前ブラケットの前記突出リブ、前記後ブラケット、前記伸縮型リンケージ、前記伸縮型支持部材及び前記連動部材は、共に連接棒の制限構造を定義し、且つ前記第１のピボット、前記第２のピボット、前記第３のピボットと前記第４のピボットの軸方向が互いに平行であることを特徴とする請求項１〜７の何れか１項に記載のヒール高さ調節可能な靴。
【請求項９】
靴本体と、
貫通開口を有する靴底層と、
突出リブを有する前ブラケットと、前記前ブラケットに対して回動可能に接続される後ブラケットと、前記貫通開口内に伸縮可能に位置し、且つ前記後ブラケットに枢着される伸縮型ヒールと、前記後ブラケットと間隔を保ち、且つそれぞれ前記突出リブと前記伸縮型ヒールに枢着される連動部材と、を含み、前記靴本体と前記靴底層に接続される連接棒の制限構造と、
前記伸縮型ヒールの伸縮を制限するように、取り外し可能に前記伸縮型ヒールを係合するためのロック機構と、
を備え、
前記連接棒の制限構造が連動する場合、前記後ブラケットと前記連動部材の連動に伴い、前記伸縮型ヒールは伸縮して前記伸縮型ヒールの長さを変えることを特徴とするヒール高さ調節可能な靴。
【請求項１０】
前記伸縮型ヒールは、
前記後ブラケットと前記連動部材の連動によって伸縮することに用いられ、前記後ブラケットに枢着される伸縮型リンケージと、
前記伸縮型リンケージの伸縮によって、同期して同じ方向と同じ比例の伸縮を行うことに用いられ、前記伸縮型リンケージに固接される伸縮型支持部材と、
を含むことを特徴とする請求項９に記載のヒール高さ調節可能な靴。
【請求項１１】
前記伸縮型リンケージは、
複数の第１の軸ピンと複数の第２の軸ピンと、
互いに平行である複数の第１の連接棒と、
互いに平行である複数の第２の連接棒と、
を含み、
隣接する前記複数の第１の連接棒のうちの１つと前記複数の第２の連接棒のうちの１つが前記複数の第１の軸ピンのうちの１つによって互いに交差して枢着され、前記複数の第１の連接棒と前記複数の第２の連接棒がそれぞれ前記複数の第２の軸ピンによって首尾が枢着されるように互いに接続され、
前記複数の第１の連接棒と前記複数の第２の連接棒を枢動して前記複数の第１の軸ピンの間の間隔を次第に変える場合、前記伸縮型リンケージが対応的にその長さを変えることを特徴とする請求項１０に記載のヒール高さ調節可能な靴。
【請求項１２】
前記複数の第１の連接棒のうちの１つは、同時に前記複数の第１の軸ピンのうちの１つと前記複数の第２の軸ピンの少なくとも１つによって前記後ブラケットに枢着され、
前記伸縮型リンケージが対応的にその長さを変えるように前記後ブラケットが連動する場合、前記伸縮型リンケージが横方向の変位を発生させることを特徴とする請求項１１に記載のヒール高さ調節可能な靴。
【請求項１３】
前記伸縮型支持部材は、互いに同心円状に配置され、且つ伸縮可能に順に嵌設される複数のスリーブ含み、
前記複数の第１の軸ピンの少なくとも２つが前記伸縮型支持部材の長軸方向に沿って順に前記複数のスリーブの少なくとも２つに固接されることを特徴とする請求項１２に記載のヒール高さ調節可能な靴。
【請求項１４】
前記複数のスリーブの最も内側のものは、貫通空間を有し、且つ前記伸縮型リンケージが前記貫通空間内に位置することを特徴とする請求項１３に記載のヒール高さ調節可能な靴。
【請求項１５】
前記複数のスリーブの最も外側のものは、円弧状に整列し、それぞれ前記伸縮型支持部材の多種の長さに対応する複数の固定孔を有し、
前記ロック機構は、前記複数の固定孔のうちの１つに挿抜可能に挿入されて、前記複数のスリーブを位置制限し前記伸縮型支持部材の前記多種の長さのうちの１つを保持するための固定ピンを含むことを特徴とする請求項１３に記載のヒール高さ調節可能な靴。
【請求項１６】
前記ロック機構は、
第１の端、第２の端と枢着部を有し、前記枢着部が前記第１の端と前記第２の端との間にあり、前記固定ピンが前記ブラケット本体の前記第１の端に位置するブラケット本体と、
前記固定ピンを前記固定孔に押し戻すことに用いられ、前記ブラケット本体の前記第１の端に接続されるバネと、
一端が前記ブラケット本体の前記第２の端に当接し、他端が前記靴の外へ露出する操作部と、
を更に含み、
前記操作部が前記ブラケット本体を回動させる場合、前記複数のスリーブに対する位置制限を解除するように、前記固定ピンが前記ブラケット本体の回動に伴い前記固定孔から出ることを特徴とする請求項１５に記載のヒール高さ調節可能な靴。
【請求項１７】
前記後ブラケットは、少なくとも１つの第１のピボットによって前記前ブラケットの一端に枢着され、及び少なくとも２つの第２のピボットによって前記伸縮型リンケージに枢着され、前記連動部材は、少なくとも１つの第３のピボットによって前記突出リブに枢着され、及び少なくとも１つの第４のピボットによって前記伸縮型支持部材に枢着され、
前記第１のピボット、前記第２のピボット、前記第３のピボット及び前記第４のピボットの軸方向が互いに平行であることを特徴とする請求項１０〜１６の何れか１項に記載のヒール高さ調節可能な靴。
【発明の詳細な説明】
【技術分野】
【０００１】
本発明は、靴に関し、特に、ヒール高さ調節可能な靴に関する。
【背景技術】
【０００２】
現代の女性は、礼儀を重視したり体つきがすらりと見えたりするために、外出時にハイヒールを履くが、ハイヒールを長時間履く場合に、人体の足部が水腫になり又は足首を挫くことがよくあり、転びやすいだけでなく、長時間に履くと足首が変形しやすくて健康に悪影響を与え、更に不適合な体験をもたらす。そのため、着用者の使用要求に合わせるために、現代の女性は、ほとんどフラットシューズとハイヒールとを同時に有し、又はヒール高度の異なるハイヒールを同時に有する。
【０００３】
この理由から、ヒール高さを変えることのできる多くのハイヒール靴が市販されているが、これらのヒール高さ調節可能なハイヒール靴は、デザインが複雑すぎ、不便であり、着用者の購入及び使用の意欲を低下させる。
【発明の概要】
【発明が解決しようとする課題】
【０００４】
従って、上記による欠点及び不便を改善した解決手段を如何に研究・開発するかは、実に現在の当業者にとって一刻も猶予できない重要な課題である。
【０００５】
本発明の目的は、背景技術に記載の前記の問題を解決するための靴、即ち、着用者の購入及び使用の意欲を高めるようにハイヒールの設計を簡単化したヒール高さ調節可能な靴を提供することにある。
【課題を解決するための手段】
【０００６】
本発明の一実施形態によれば、このようなヒール高さ調節可能な靴は、前ブラケットと、前ブラケットに対して回動可能に接続される後ブラケットと、後ブラケットの連動によって伸縮することに用いられ、後ブラケットに枢着される伸縮型リンケージ（連接棒からなる枠）と、伸縮型リンケージの伸縮によって、同期して同じ方向と同じ比例の伸縮を行うことに用いられ、伸縮型リンケージに固接される伸縮型支持部材と、後ブラケットと間隔を保ち、それぞれ前ブラケットと伸縮型支持部材に枢着される連動部材と、伸縮型支持部材の伸縮を制限するように、取り外し可能に伸縮型支持部材を係合するロック機構と、を含む。
【０００７】
このように、着用者の足が本実施形態の靴を履き、且つかかと部分を上げてつま先部分を曲げる場合、後ブラケットが前ブラケットに対して回動し、後ブラケットと連動部材による連動に伴い、伸縮型支持部材が伸縮してヒール高度を変える。従って、本実施形態は、靴板を曲げる曲げ度合によって、着用者の使用要求に応じて、更に着用者が同時に異なるヒール高さのハイヒールを有しなければならない困りごとを解決するように、伸縮型支持部材の露出長さを変えることができる。
【０００８】
本発明の一つ又は複数の実施形態において、伸縮型リンケージは、複数の第１の軸ピンと複数の第２の軸ピンと、互いに平行である複数の第１の連接棒と、互いに平行である複数の第２の連接棒と、を含み、隣接する第１の連接棒と第２の連接棒は、そのうちの１つの第１の軸ピンによって互いに交差して枢着され、前記第１の連接棒と前記第２の連接棒がそれぞれこれらの第２の軸ピンによって首尾が枢着されるように互いに接続され、前記第１の連接棒と前記第２の連接棒を枢動して前記第１の軸ピンの間の間隔を次第に変える場合、伸縮型リンケージが対応的にその長さを変える。
【０００９】
本発明の一つ又は複数の実施形態において、そのうちの１つの第１の連接棒は、同時に第１の軸ピンと第２の軸ピンによって後ブラケットに枢着され、伸縮型リンケージが対応的にその長さを変えるように後ブラケットが連動する場合、伸縮型リンケージは、円弧方向に応じて横方向の変位を発生させる。
【００１０】
本発明の一つ又は複数の実施形態において、伸縮型支持部材は、互いに同心円状に配置され、且つ順に伸縮可能に嵌設される複数のスリーブを含む。この場合、少なくとも２つの第１の軸ピンは、伸縮型支持部材の長軸方向に沿って順に少なくとも２つのスリーブに固接される。
【００１１】
本発明の一つ又は複数の実施形態において、前記スリーブの最も内側のものは、貫通空間を有し、且つ伸縮型リンケージは貫通空間内に位置する。
【００１２】
本発明の一つ又は複数の実施形態において、前記スリーブの最も外側のものは、弧線方向に沿って配列する複数の固定孔を有する。
【００１３】
本発明の一つ又は複数の実施形態において、ロック機構は、そのうちの１つの固定孔に挿抜可能に挿入されて、前記スリーブを位置制限し、伸縮型支持部材が伸縮された後の多種の長さのうちの１つを決めるための固定ピンを含む。
【００１４】
本発明の一つ又は複数の実施形態において、ロック機構は、第１の端、第２の端と枢着部を有し、枢着部が第１の端と第２の端との間にあり、固定ピンがブラケット本体の第１の端に位置するブラケット本体と、固定ピンを固定孔に押し戻すことに用いられ、ブラケット本体の第１の端に接続されるバネと、一端がブラケット本体の第２の端に当接し、他端が靴の外へ露出する操作部と、を更に含み、操作部がブラケット本体を回動させる場合、前記スリーブに対する位置制限を解除するように、固定ピンがブラケット本体の回動に伴い固定孔から出る。
【００１５】
本発明の一つ又は複数の実施形態において、前ブラケットの一端に突出リブを有し、後ブラケットは、第１のピボットによって前ブラケットの他端に枢着され、及び少なくとも２つの第２のピボットによって伸縮型リンケージに枢着され、連動部材は、第３のピボットによって突出リブに枢着され、及び第４のピボットによって伸縮型支持部材に枢着され、前ブラケットの突出リブ、後ブラケット、伸縮型リンケージ及び伸縮型支持部材は、共に連接棒の制限構造を定義し、且つ第１のピボット、第２のピボット、第３のピボットと第４のピボットの軸方向が互いに平行である。
【００１６】
本発明の別の実施形態において、このようなヒール高さ調節可能な靴は、靴本体と、貫通開口を有する靴底層と、突出リブを有する前ブラケットと、前ブラケットに対して回動可能に接続される後ブラケットと、貫通開口内に伸縮可能に位置し、且つ後ブラケットに枢着される伸縮型ヒールと、後ブラケットと間隔を保ち、且つそれぞれ突出リブと伸縮型ヒールに枢着される連動部材と、を含み、靴本体と靴底層に接続される連接棒の制限構造と、伸縮型ヒールの伸縮を制限するように、取り外し可能に係合するロック機構と、を備え、連接棒の制限構造が連動する場合、後ブラケットと連動部材の連動に伴い、伸縮型ヒールは伸縮して伸縮型ヒールの長さを変える。
【００１７】
本発明の一つ又は複数の実施形態において、伸縮型ヒールは、後ブラケットと連動部材の連動によって伸縮することに用いられ、後ブラケットに枢着される伸縮型リンケージと、伸縮型リンケージの伸縮によって、同期して同じ方向と同じ比例の伸縮を行うことに用いられ、伸縮型リンケージに固接される伸縮型支持部材と、を含む。
【発明の効果】
【００１８】
従来の技術と比べると、本発明は、以下の有益な効果がる。本発明のヒール高さ調節可能な靴は、着用者の購入及び使用の意欲を高めるように、ハイヒールの設計を簡単化する。
【００１９】
上記は、本発明が解决しようとする課題、課題を解決するための手段、及び発明の効果等を記述するためのものであり、本発明の具体的な細部を、下記の実施形態及び関連図面において詳しく説明する。
【図面の簡単な説明】
【００２０】
下記添付図面についての説明は、本発明の上記とその他の目的、特徴、メリット及び実施例をより分かりやすくするためのものである。
【図１Ａ】本発明の一実施形態によるヒール高さ調節可能な靴を示す簡易操作模式図である。
【図１Ｂ】本発明の一実施形態によるヒール高さ調節可能な靴を示す簡易操作模式図である。
【図２Ａ】本発明の別の実施形態によるヒール高さ調節可能な靴を示す斜視図である。
【図２Ｂ】図２Ａの靴を示す分解図である。
【図３】図２Ａの靴を示す操作模式図である。
【図４】図２Ａの伸縮型ヒールを示す模式図である。
【図５】図２Ａのロック機構を示す模式図である。
【図６】本実施形態のヒール高さ調節可能な靴のロック機構を示す操作模式図である。
【図７Ａ】本実施形態によるヒール高さ調節可能な靴を示す連続操作模式図である。
【図７Ｂ】本実施形態によるヒール高さ調節可能な靴を示す連続操作模式図である。
【図７Ｃ】本実施形態によるヒール高さ調節可能な靴を示す連続操作模式図である。
【発明を実施するための形態】
【００２１】
以下、図面で本発明の複数の実施形態を開示し、明らかに説明するために、多くの実際的な細部は、以下の説明において併せて説明する。しかしながら、業者であれば、本発明の一部の実施形態において、これらの実際的な細部は、必要なものではないので、本発明を制限するためのものではないことは、理解すべきである。又、図面を簡略化するために、いくつかの従来の慣用の構造と素子は、図面において簡単に模式的に示される。又、図示の便宜上、図面における各素子の寸法は、実際な割合に基づいて示されるものではない。
【００２２】
図１Ａ〜図１Ｂは、本発明の一実施形態によるヒール高さ調節可能な靴１０を示す簡易操作模式図である。図１Ａと図１Ｂに示すように、本実施形態のヒール高さ調節可能な靴１０は、靴板１００と、伸縮型ヒール２００と、を含む。靴板１００は、人の１つの足（不図示）を支持することに用いられる。靴板１００は、前ブラケット１１０、後ブラケット１２０及び連動部材３００を含む。後ブラケット１２０は、前ブラケット１１０の一側に回動可能に（例えば、ピボット又は折り目によって）接続される。伸縮型ヒール２００は、長い円柱になり、且つ伸縮によってその長さを変えることができる。伸縮型ヒール２００は、一端が後ブラケット１２０の前ブラケット１１０に対向する側に枢着される。前ブラケット１１０は、前ブラケット１１０の側から外へ伸びる突出リブ１１１を有する。連動部材３００は、後ブラケット１２０との間に間隔を保ち、且つその２つの対向端がそれぞれ前ブラケット１１０の突出リブ１１１と伸縮型ヒール２００に枢着される。このように、突出リブ１１１、後ブラケット１２０、伸縮型ヒール２００及び連動部材３００は、共に、連接棒の制限構造（例えば、４連接棒構造）を定義する。
【００２３】
このように、連接棒の制限構造が連動する場合、例えば、後ブラケット１２０が前ブラケット１１０に対して回動する場合、後ブラケット１２０と連動部材３００との制限連動によって、本実施形態の伸縮型ヒール２００は、重力方向ＧＶに沿って伸縮し、更に伸縮型ヒール２００の長さを変えることができる。このように、着用者の使用要求に応じることができ、また、着用者が異なるヒール高さのハイヒールを同時に有しなければならない困りごとを解決することができる。
【００２４】
例としては、伸縮型ヒール２００は、伸縮型リンケージ２１０と伸縮型支持部材２２０を含む。伸縮型リンケージ２１０は、伸縮性を有し、且つ後ブラケット１２０の前ブラケット１１０に対向する側に枢着されており、後ブラケット１２０と連動部材３００との連動によって伸縮し、更にその長さを変えることに用いられる。伸縮型支持部材２２０は、連動部材３００の突出リブ１１１に対向する側に枢着される。伸縮型支持部材２２０は、伸縮性を有し、且つ伸縮型リンケージ２１０に固接される。このため、伸縮型支持部材２２０は、伸縮型リンケージ２１０の長さの変化によって、同じ方向と同じ比例の伸縮を同期して行うことができる。
【００２５】
より具体的に、後ブラケット１２０は、少なくとも１つの第１のピボットＲ１によって前ブラケット１１０に枢着され、また複数の（例えば、２つの）第２のピボットＲ２によって伸縮型リンケージ２１０に枢着されることによって、後ブラケット１２０が第１のピボットＲ１によって前ブラケット１１０に対して枢動でき、伸縮型リンケージ２１０が第２のピボットＲ２によって後ブラケット１２０に対して枢動できるようにする。連動部材３００は、少なくとも１つの第３のピボットＲ３によってこの突出リブ１１１に枢着され、また少なくとも１つの第４のピボットＲ４によって伸縮型支持部材２２０に枢着されることによって、連動部材３００が第３のピボットＲ３によって突出リブ１１１に対して枢動でき、伸縮型支持部材２２０が第４のピボットＲ４によって連動部材３００に対して枢動できるようにする。理解すべきなのは、第１のピボットＲ１と、第２のピボットＲ２と、第３のピボットＲ３と、第４のピボットＲ４との軸方向は、互いに平行であるが、互いに同軸ではない。
【００２６】
図２Ａは、本発明の別の実施形態によるヒール高さ調節可能な靴１１を示す斜視図である。図２Ｂは、図２Ａの靴１１を示す分解図である。上記の靴板１００、伸縮型ヒール２００及び連動部材３００に加え、本実施形態の靴１１は、靴本体４００、靴底層５００及び少なくとも１つのロック機構６００を更に含む。靴本体４００は、例えば、足を完全又は部分的に覆う材料である。理解すべきなのは、靴本体は、すべての靴の外観種類を指し、本発明は図面に示される様式に限定されない。靴板１００は、それぞれ靴本体４００と靴底層５００とを接続するように、靴本体４００と靴底層５００との間に位置する。靴底層５００は、貫通開口５１０を有する。貫通開口５１０が後ブラケット１２０に揃え、且つ伸縮型ヒール２００が貫通開口５１０を通して靴底層５００の外へ延びる。ロック機構６００は、靴板１００に接続されており、伸縮型ヒール２００の伸縮動作を阻止し更に伸縮型ヒール２００の長さを決めるように、取り外し可能に伸縮型ヒール２００を係合することに用いられる。また、本実施形態において、靴底層５００は、更に、ロック機構６００、連動部材３００及び靴板１００の一部を覆う。しかしながら、本発明はこれに限定されない。
【００２７】
具体的に、靴板１００は、対向して配置する上側面１０１と下側面１０２を有する。靴本体４００は、靴板１００の上側面１０１に位置するが、伸縮型ヒール２００、連動部材３００及び靴底層５００の何れも靴板１００の下側面１０２に位置する。また、靴板１００の後ブラケット１２０は、スロット１２１を更に有する。スロット１２１は、靴底層５００の一部及び貫通開口５１０を露出する。連動部材３００は、貫通開口５１０及びスロット１２１を露出させる開き口３０１を更に有する。また、伸縮型ヒール２００が貫通開口５１０、スロット１２１及び開き口３０１内に設けられる。
【００２８】
図３は、図２Ａの靴１１を示す操作模式図である。図４は、図２Ａの伸縮型ヒール２００を示す模式図である。図３と図４に示すように、本実施形態において、伸縮型支持部材２２０は、複数のスリーブ２２１を含む。これらのスリーブ２２１は、互いに同心円状に配置され、且つ伸縮型支持部材２２０の長軸方向ＬＡに沿って、順に伸縮可能に嵌設する。具体的に、複数のスリーブ２２１の各々が貫通して貫通空間２２２になり、即ち、複数のスリーブ２２１の各々が貫通空間２２２を囲む。任意の２つの隣接するスリーブ２２１において、そのうちの１つのスリーブ２２１が別のスリーブ２２１の貫通空間２２２内に位置する。外から中への順序において、これらのスリーブ２２１のサイズは、次第に小さくなる。このように、これらのスリーブ２２１を伸縮することにより、伸縮型支持部材２２０の長さが変わる。しかしながら、本発明はこれに限定されなく、これらのスリーブを順に嵌設できれば、これらのスリーブの外形は一致でなくてもよい。
【００２９】
また、伸縮型リンケージは、順に複数又は全部のスリーブを固接できれば、伸縮型支持部材の中に内蔵されなくてもよい。他の実施形態において、伸縮型リンケージは、伸縮型支持部材の近くに並べて設置してもよい（不図示）。
【００３０】
更に、伸縮型リンケージ２１０は、複数の第１の連接棒２１１と複数の第２の連接棒２１２を含む。隣接する第１の連接棒２１１と第２の連接棒２１２とは、そのうちの１つの第１の軸ピン２１３によって互いに交差して枢着される。これらの第１の連接棒２１１とこれらの第２の連接棒２１２とがそれぞれこれらの第２の軸ピン２１４によって首尾が枢着されるように互いに接続する。これらの第１の連接棒２１１は、互いに平行であるが、同じ長さ又は同じタイプに限定されない。これらの第２の連接棒２１２は、互いに平行であるが、同じ長さ又は同じタイプに限定されなく、第１の連接棒２１１と第２の連接棒２１２とは同じ長さ又は同じタイプに限定されない。
【００３１】
このように、これらの第１の連接棒２１１とこれらの第２の連接棒２１２とが互いに枢動することで、これらの第１の軸ピン２１３の互いの間隔が変わる（縮小又は増大する）場合、伸縮型リンケージ２１０は、対応的にその長さを変える（縮小又は増大する）。
【００３２】
理解すべきなのは、伸縮型リンケージ２１０が最内側のスリーブ２２１の貫通空間２２２内に位置し、且つ複数の又は全部の第１の軸ピン２１３によってそれぞれ伸縮型リンケージ２１０の長軸方向ＬＡに沿って順に複数の又は全部のスリーブ２２１を固接する。このように、伸縮型支持部材２２０は、伸縮型リンケージ２１０の長さによって変わり、同期して同じ方向と同じ比例の伸縮を行うことができる。
【００３３】
実際的操作において、これらのスリーブ２２１を折り畳む場合、これらのスリーブ２２１に固接される第１の軸ピン２１３の収納スペースを確保するために、連動部材３００に接続されるスリーブ２２１を除く、他のこれらのスリーブ２２１のそれぞれは、スペース確保用スリット２２３を有し、且つ外から内への順序において、これらのスリーブ２２１のスペース確保用スリット２２３の長さが次第に大きくなる。
【００３４】
図３と図４に示すように、そのうちの１つの第１の連接棒（例えば、靴本体４００に最も近い第１の連接棒２１１Ａ）が同時に２つの軸ピン（例えば、第１の軸ピン２１３Ａと第２の軸ピン２１４Ａ）によって後ブラケット１２０に対称的に枢着されるため、後ブラケット１２０が前ブラケット１１０に対して回動して伸縮型リンケージ２１０が重力方向に沿って伸縮するように連動する場合、後ブラケット１２０が第１の連接棒２１１Ａ枢動だけを連動することで、第１の連接棒２１１Ａと第２の連接棒２１２Ａとが同時に同じ角度を回動せず、第２の連接棒２１２Ａが第１の連接棒２１１Ａだけに伴い連動されるので、伸縮型リンケージ２１０の長さが長軸方向ＬＡに沿って対応的に変わると共に、伸縮型リンケージ２１０と伸縮型支持部材２２０とが更に横方向の変位を発生させることもできる。（図１Ａと図１Ｂを参照）。
【００３５】
つまり、伸縮型リンケージ２１０の第１の連接棒２１１Ａの回動を阻止すれば、伸縮型リンケージ２１０と伸縮型支持部材２２０との重力方向に沿う伸縮を阻止し、更に伸縮型リンケージ２１０と伸縮型支持部材２２０（即ち、伸縮型ヒール２００）との露出長さを一定にすることができる。
【００３６】
位置制限して伸縮型リンケージ２１０の第１の連接棒２１１Ａの回動を阻止するために、本実施形態において、最も外側のスリーブ２２１に複数の固定孔２２４が設けられる。これらの固定孔２２４は、円弧状に整列し、伸縮型リンケージ２１０の変位に一致する軌道円弧になる。
【００３７】
これらの固定孔２２４がそれぞれ伸縮型支持部材２２０が決められる複数の長さに対応するため、例としては、伸縮型支持部材２２０は４つの固定孔２２４を有し、各固定孔２２４の中に伸びて伸縮型リンケージ２１０位移を制限する場合、伸縮型ヒール２００は４つの異なる露出長さを示す。
【００３８】
図５は、図２Ａのロック機構６００を示す模式図である。図６は、本実施形態のヒール高さ調節可能な靴１１のロック機構６００を示す操作模式図である。図５と図６に示すように、本実施形態において、２つのロック機構６００は、靴板１００の２つの対向側に位置する。ロック機構６００の各々は、ブラケット本体６１０、バネ６３０及び操作部６４０を含む。ブラケット本体６１０は、第１の端６１１、第２の端６１３及び枢着部６１２を有する。枢着部６１２は、第１の端６１１と第２の端６１３との間にあり、後ブラケット１２０と互いに枢設されることにより、ブラケット本体６１０が枢着部６１２によって回動することができる。ブラケット本体６１０の第１の端６１１の一面６１１ａは固定ピン６２０を有する。固定ピン６２０は、そのうちの１つの固定孔２２４に挿抜可能に挿入される。バネ６３０は、不動作部材（例えば、靴底層５００）及びブラケット本体６１０の第１の端６１１の他面６１１ｂに接続されており、固定ピン６２０を固定孔２２４に押し戻すことに用いられる。操作部６４０は、一端がブラケット本体６１０の第２の端６１３に当接し、他端が靴１１の外へ露出する。従って、バネ６３０が固定ピン６２０に持続的に当接して固定孔２２４の中に伸びる場合、固定ピン６２０がスリーブ２２１の動作を制限するとともに、伸縮型リンケージが長さを変えることも制限する。逆に、図６に示すように、着用者が各ロック機構６００の操作部６４０を同時に押してブラケット本体６１０の第２の端６１３を押し付ける場合、各操作部６４０はブラケット本体６１０を回動させて、スリーブ２２１の固定孔２２４から離れるように固定ピン６２０を連動する。
【００３９】
しかしながら、本発明は、ロック機構６００がブラケット本体６１０、バネ６３０と操作部６４０からなることに限定されない。本発明は、ロック機構の具体的な態様に限定されなく、伸縮型支持部材２２０を位置制限し更に伸縮型支持部材２２０の長さを決める形態であればよい。例としては、ロック機構は、固定ピン（不図示）を含む。固定ピンは、独立した物体であり、且つ、スリーブの動作を制限するように、そのうちの１つの固定孔に挿抜可能に単独して挿入される。
【００４０】
図７Ａ〜図７Ｃは、本実施形態によるヒール高さ調節可能な靴１１を示す連続操作模式図である。図７Ａに示すように、靴本体４００と靴板１００とは共に空間を定義する。この空間は、人の１つの足７００を収納することに用いられる。人の足７００が本実施形態の靴を履く場合、着用者の足７００が大よそ靴板１００に位置し、前ブラケット１１０が人の足７００のつま先部分７１０を支持し、後ブラケット１２０が人の足７００のかかと部分７２０を支持する。
【００４１】
従って、ヒール高さを伸ばすには、着用者は、まず、固定ピン６２０を固定孔２２４から離れさせるように、ロック機構６００の操作部６４０を押して、伸縮型支持部材２２０の伸縮に対する制限を解除する（図６を参照）。次に、図７Ｂに示すように、着用者は、後ブラケット１２０と前ブラケット１１０との夾角θを小さくするように、かかと部分７２０を上げてつま先部分７１０を一定の角度に曲げ、この場合、伸縮型ヒール２００が伸ばし始まるので、固定孔２２４から離れる固定ピン６２０がスリーブ２２１の表面に対して摺動し始める。固定ピン６２０が別の固定孔２２４の中に摺動すると、伸縮型ヒール２００の別の露出長さを決めることができる。同じように、図７Ｃや図３に示すように、より高いヒール高さを必要とする場合、着用者は、続けて、後ブラケット１２０と前ブラケット１１０との夾角θを小さくして、伸縮型ヒール２００の長さをさらに伸ばすことができる。
【００４２】
このように、本実施形態は、靴板の曲がり度合を曲げることにより、伸縮型支持部材の露出長さを制御し、着用者の使用要求に応じ、更に着用者が同時に異なるヒール高さのハイヒールを有しなければならない困りを解決することができる。
【００４３】
理解すべきなのは、以上に述べられる伸縮型ヒール、連動部材、前ブラケット、後ブラケット、第１のピボット〜第４のピボット、ロック機構の数は、例示だけであり、本発明を制限するためのものではなく、当業者であれば、実際の要求に応じて、以上の数を柔軟的に調整すべきである。
【００４４】
本発明の実施形態を前述の通りに開示したが、これは、本発明を限定するものではなく、業者なら誰でも、本発明の精神と範囲から逸脱しない限り、多様の変更や修飾を加えることができ、従って、本発明の保護範囲は、下記添付の特許請求の範囲で指定した内容を基準とするものである。
【図１Ａ】
2019503811.tif 000003
【図１Ｂ】
2019503811.tif 000004
【図２Ａ】
2019503811.tif 000005
【図２Ｂ】
2019503811.tif 000006
【図３】
2019503811.tif 000007
【図４】
2019503811.tif 000008
【図５】
2019503811.tif 000009
【図６】
2019503811.tif 000010
【図７Ａ】
2019503811.tif 000011
【図７Ｂ】
2019503811.tif 000012
【図７Ｃ】
2019503811.tif 000013
【国際調査報告】
2019503811.tif 000014
2019503811.tif 000015
2019503811.tif 000016
2019503811.tif 000017